(57)【要約】【課題】組立ての容易なリールユニットを提供することである。【解決手段】表示窓１２が前側部に形成されたケーシング１０内部にステッピングモータ６２を駆動源とするギヤ駆動機構６０によって回転される複数の表示リール３０を同一軸線上に設ける。ケーシング１０を表示リール３０の軸心を含む平面に沿って上下に２分割してケース本体１３と蓋体１４を設け、そのケース本体１３の内部には各表示リール３０の両端部外周を回転自在に支持する半円筒状のラジアル軸受面１５と、各表示リール３０の端面と軸方向で対向するスラスト軸受面１７を設け、蓋体１４には、表示リール３０をラジアル軸受面１５に対して接触状態に保持する保持部１９を設け、上記ケース本体１３の上側から表示リール３０を落とし込み、ケース本体１３に蓋体１４を被せてねじ止めすることによってリールユニットが形成されるようにする。【選択図】図３
2010178969.tif 000002
【特許請求の範囲】
【請求項１】
前側部に図柄表示部が形成されたケーシングと、そのケーシングの内部において同一軸線上に配置され、外周に複数の図柄が付された複数の円筒状の表示リールと、モータを駆動源として前記表示リールの後側方から表示リールのそれぞれを単独に回転駆動する表示リールと同数のギヤ駆動機構とからなり、前記ケーシングを上下に分割して、上部が開放するケース本体と、そのケース本体に被せる蓋体を設け、そのケース本体の内部には前記各表示リールの両端部外周を回転自在に支持する半円筒状のラジアル軸受面と、各表示リールの端面と軸方向で対向するスラスト軸受面を設け、前記蓋体には、表示リールをラジアル軸受面に対して接触状態に保持する保持部を設けたリールユニット。
【請求項２】
前記表示リールが、軸方向の両端に小径筒部を有し、一方の小径筒部の外周に前記ギヤ駆動機構から回転トルクが伝達される外歯が形成された透明な合成樹脂の成形品から成る円筒状のリール本体と、そのリール本体の他方の小径筒部に嵌合される筒部を外周に有し、その筒部の一端から内向きにフランジが形成された滑り抵抗の小さい合成樹脂の成形品からなるキャップからなり、前記キャップが前記スラスト軸受面と対向するようにケーシング内に表示リールを組込んだ請求項１に記載のリールユニット。
【請求項３】
前記ケース本体の左右に位置する一対の端板のそれぞれに、その端板の上面で開放する基板支持溝を形成し、前記表示リールのそれぞれ内部に挿入されて前記基板支持溝に両端部が差し込み支持されたリール中基板に前記表示リールのそれぞれを内部から前側に向けて照明する発光体と、各表示リールのフランジの一側方に配置される発光素子およびフランジの他側方に配置される受光素子からなる原点位置検出センサを支持し、前記フランジの内周に原点位置検出センサの検出光を遮断する遮光部を設けた請求項１又は２に記載のリールユニット。
【請求項４】
前記ケース本体および蓋体における端板の外表面にリール中基板の両端部を覆う保護突起を設けた請求項３に記載のリールユニット。
【発明の詳細な説明】
【技術分野】
【０００１】
この発明は、パチンコ機やスロットルマシンに組込まれるリールユニットに関する。
【背景技術】
【０００２】
パチンコ機に組込まれるリールユニットとして特許文献１に記載されたものが従来から知られている。このリールユニットは、遊技板の背面に取付けられるケーシングの内部に複数の表示リールを同一軸線上に配置して回転自在に支持し、表示リールのそれぞれをモータにより単独に回転させ、上記表示リールの停止により、表示リールの外周に設けられた特別図柄が特定の停止表示態様で停止表示された時、大当たりの遊技状態として、特別可変入賞装置の入口を塞いでいた扉を予め定められた作動条件に従って開閉させるようにしている。
【０００３】
リールユニットは、上記のような特別可変入賞装置の入口を塞ぐ蓋体の開閉制御用に用いることの他に、液晶表示装置等の図柄表示装置と併用して、リーチや大当たりの前兆演出を行なうという使用や、大当たり後の再抽選を行なうという使用にも使われるようになってきている。
【先行技術文献】
【特許文献】
【０００４】
【特許文献１】特開平１０−３２８３７２号公報
【発明の概要】
【発明が解決しようとする課題】
【０００５】
ところで、上記特許文献１に記載されたリールユニットにおいては、表示リールの内周面に形成されたギヤ部にモータを駆動源として回転される駆動ギヤと従動ギヤとを噛合し、その駆動ギヤと表示リールの半径方向に移動自在に支持され、スプリングにより半径方向内方に付勢された押圧ローラとで表示リールを挟持し、かつ、上記従動ギヤと表示リールの半径方向に移動自在に支持され、スプリングにより半径方向内方に付勢された押圧ローラとで表示リールを挟持して、表示リールを回転自在に支持するようにしているため、表示リールの組付けに際しては、押圧ローラのそれぞれを駆動ギヤおよび従動ギヤから離反させ、その離反状態を保持して表示リールを組付ける必要があり、リールユニットの組立てに非常に手間が係るという問題がある。
【０００６】
この発明の課題は、組立ての容易なリールユニットを提供することである。
【課題を解決するための手段】
【０００７】
上記の課題を解決するために、この発明においては、前側部に図柄表示部が形成されたケーシングと、そのケーシングの内部において同一軸線上に配置され、外周に複数の図柄が付された複数の円筒状の表示リールと、モータを駆動源として前記表示リールの後側方から表示リールのそれぞれを単独に回転駆動する表示リールと同数のギヤ駆動機構とからなり、前記ケーシングを上下に分割して、上部が開放するケース本体と、そのケース本体に被せる蓋体を設け、そのケース本体の内部には前記各表示リールの両端部外周を回転自在に支持する半円筒状のラジアル軸受面と、各表示リールの端面と軸方向で対向するスラスト軸受面を設け、前記蓋体には、表示リールをラジアル軸受面に対して接触状態に保持する保持部を設けた構成を採用したのである。
【０００８】
ここで、蓋体はケース本体にねじ止めにより着脱自在に結合してもよく、あるいは、ヒンジによって開閉自在に連結してもよい。
【０００９】
上記の構成からなるリールユニットにおいて、複数の表示リールをケース本体の上側から内部に落とし込むことにより表示リールの両端部は一対のラジアル軸受面によって回転自在に支持されることになる。そして、ケース本体の上側に蓋体を被せると、その蓋体に設けられた保持部によって表示リールの浮き上がりが阻止され、表示リールは両端部がラジアル軸受面に回転自在に支持される状態に保持されることになり、リールユニットを極めて簡単に組立てることができる。
【００１０】
ここで、表示リールを、軸方向の両端に小径筒部を有し、一方の小径筒部の外周にギヤ駆動機構から回転トルクが伝達される外歯が形成された透明な合成樹脂の成形品から成る円筒状のリール本体と、そのリール本体の他方の小径筒部に嵌合される筒部を外周に有し、その筒部の一端から内向きにフランジが形成された滑り抵抗の小さい合成樹脂の成形品からなるキャップとで形成し、上記キャップが前記スラスト軸受面と対向するようにしてケーシング内に表示リールを組込むことにより、スラスト軸受面に対する滑り抵抗の小さい合成樹脂製キャップの接触によって回転抵抗の低減を図ることができ、表示リールをスムーズに回転させることができる。
【００１１】
また、ケース本体の左右に位置する一対の端板のそれぞれに、その端板の上面で開放する基板支持溝を形成し、前記表示リールのそれぞれ内部に挿通されて上記基板支持溝に両端部が差し込み支持されたリール中基板に表示リールのそれぞれを内部から前側に向けて照明する発光体を設けると、その発光体によって表示リールの前側部を照明することができるため、図柄表示部で停止する図柄の視認性を高めることができる。
【００１２】
また、リール中基板に、各表示リールのフランジの一側方に配置される発光素子およびフランジの他側方に配置される受光素子からなる原点位置検出センサを支持し、上記フランジの内周に原点位置検出センサの検出光を遮断する遮光部を設けることにより、上記原点位置検出センサによって表示リールの原点位置を検出することができるため、表示リールを駆動するモータの回転角を容易に回転制御することができる。
【００１３】
ここで、ケーシングの端板が薄肉厚であると、原点位置検出センサを形成する発光素子と受光素子のうち、上記端板側に配置される素子は、その端板の外表面から外部に露出する取付けとなり、リールユニットの組付け時に障害物に衝突して破損する危険がある。そこで、ケース本体および蓋体における端板の外表面にリール中基板の両端部を覆う保護突起を設けると、リールユニットの組付け時に上記素子が障害物に衝突するのを防止することができ、素子の破損防止に効果を挙げることができる。
【発明の効果】
【００１４】
上記のように、この発明においては、ケース本体にラジアル軸受面とスラスト軸受面を設け、そのケース本体に被せる蓋体に表示リールをラジアル軸受面に対して接触状態に保持する保持部を設けたことにより、複数の表示リールをケース本体の上側から内部に落とし込み、蓋体を被せる極めて簡単な作業によってリールユニットを組立てることができる。
【００１５】
また、ケース本体に一対のラジアル軸受面とスラスト軸受面を設けて表示リールを回転自在に支持したことにより、ケーシング内部に組込まれた駆動ギヤと押圧ローラおよび従動ギヤと押圧ローラで表示リールを回転自在に支持するリールユニットに比較して、部品点数が少なく、しかも、ケーシング内部にギヤや押圧ローラを組込むためのスペースを確保する必要がないため、小型のリールユニットを得ることができる。
【図面の簡単な説明】
【００１６】
【図１】（ａ）は、この発明に係るリールユニットの斜視図、（ｂ）は、遮蔽リールの開放状態を示す斜視図
【図２】図１（ａ）の横断平面図
【図３】図１（ｂ）の縦断正面図
【図４】図２のIV−IV線に沿った断面図
【図５】（ｃ）は、図２のV−V線に沿った断面図、（ｄ）は、（ｃ）に示す遮蔽リールを回転させて開口部を表示窓に対向させた状態の断面図
【図６】図２のVI−VI線に沿った断面図
【図７】図２の一部を拡大して示す断面図
【図８】ケース本体の一部、表示リールおよび遮蔽リールのそれぞれを示す分解斜視図
【発明を実施するための形態】
【００１７】
以下、この発明の実施の形態を図面に基づいて説明する。図１（ａ）および（ｂ）は、パチンコ機の遊技盤の背面に取付けられるリールユニット１を示す。このリールユニット１は、ケーシング１０を有し、そのケーシング１０の内部に２つのリール収容空間１１が軸方向に間隔をおいて設けられ、各リール収容空間１１の前側壁に角形の図柄表示部としての表示窓１２が設けられている。
【００１８】
リール収容空間１１のそれぞれ内部には表示リール３０が組込まれている。図３および図８に示すように、表示リール３０は、円筒状のリール本体３１と、そのリール本体３１の一端部に嵌合されたキャップ３２とからなる。リール本体３１は透明な合成樹脂により成形され、外周の両端部には一対の環状突部３３が形成され、その一対の環状突部３３間における外周面に複数の図柄３４が周方向に等間隔に設けられている。
【００１９】
図柄３４の形成に際しては、図柄３４が印刷されたテープをリール本体３１の外周に巻付けるようにしてもよく、あるいは、リール本体３１に図柄３４を直接設けるようにしてもよい。
【００２０】
また、リール本体３１の両端部には小径筒部３５、３６が設けられ、一方の小径筒部３５の外周には外歯３７が形成され、他方の小径筒部３６には上記キャップ３２が嵌合されている。
【００２１】
キャップ３２は、小径筒部３６の外周に嵌合される筒部３２ａの一端部から内向きにフランジ３２ｂを設けた滑り抵抗の小さい合成樹脂の成形品からなり、上記フランジ３２ｂの内周には略半円形に遮光部３２ｃが設けられ、その遮光部３２ｃの両端縁間は通光部３２ｄとされている。
【００２２】
図２および図３に示すように、一対の表示リール３０は、外歯３７を外周に有する小径筒部３５が軸方向で対向する組み込みとされて同一軸線上の配置とされ、各表示リール３０の外側に円筒状の遮蔽リール４０が嵌合されている。
【００２３】
遮蔽リール４０の軸方向長さは表示リール３０の軸方向長さより短く、その遮蔽リール４０の両端から表示リール３０の両端部が外側に突出している。
【００２４】
図５（ｃ）および図８に示すように、遮蔽リール４０には、表示リール３０の図柄３４を露出状態とする開口部４１と、上記図柄３４を被覆可能とする不透明な蓋体部４２とが周方向に連続して設けられ、上記蓋体部４２の表面は軸方向に凸円状の湾曲面とされている。
【００２５】
また、遮蔽リール４０の外周には、軸方向の略中央部にセクタギヤ４３が設けられている。一方、リール収容空間１１の後側壁には、上記セクタギヤ４３と対向する位置に上下方向に延びる縦孔４４が形成されている。
【００２６】
図１（ａ）、（ｂ）および図３に示すように、ケーシング１０は、表示リール３０の軸線を含む平面に沿って上下に２分割され、その分割によって形成されたケース本体１３と蓋体１４は、ねじの締付けによる手段を介して結合一体化されており、ケース本体１３に対して蓋体１４が着脱し得るようになっている。
【００２７】
図７および図８に示すように、ケース本体１３に形成されたリール収容空間１１の軸方向両端部には、表示リール３０の両端部を回転自在に支持する一対の半円筒状の小径のラジアル軸受面１５、１５と、遮蔽リール４０の両端部を回転自在に支持する一対の半円筒状の大径のラジアル軸受面１６、１６とが設けられている。
【００２８】
また、リール収容空間１１には、表示リール３０におけるキャップ３２のフランジ３２ｂと微小間隙を介して軸方向で対向するスラスト軸受面１７および遮蔽リール４０の両端面と微小間隙を介して軸方向で対向するスラスト軸受面１８とが設けられている。
【００２９】
一方、蓋体１４には、図１（ｂ）および図６に示すように、表示リール３０の軸方向両端部の浮き上がりを防止して、表示リール３０の両端部における下部外周面を小径ラジアル軸受面１５と接触状態に保持する保持部１９、および、遮蔽リール４０の互いに対向する内端側の端部の浮き上がりを防止して遮蔽リール４０の両端部における下部外周面を大径ラジアル軸受面１６と接触状態に保持する保持部２０が設けられている。
【００３０】
ここで、保持部１９、２０は、図１（ｂ）および図６において、蓋体１４の軸方向中央部に示されるように、表示リール３０および遮蔽リール４０の端部外周に沿う円弧状壁からなるものであってもよく、あるいは、蓋体１４の両端部に示されるように、表示リール３０の外周上部から接線方向に延びる平板からなるものであってもよい。また、図では省略したが表示リール３０および遮蔽リール４０の端部外周に沿う円弧状の突片からなるものであってもよく、あるいは、周方向に間隔をおいて設けられる複数の突起から成るものであってもよい。
【００３１】
図２および図３に示すように、ケース本体１３の左右に位置する一対の端板１３ａおよび蓋体１４の左右に位置する一対の端板１４ａには、その衝合面で開口する基板支持溝２１が設けられ、その基板支持溝２１に両端部が差し込み支持されたリール中基板２２は一対の表示リール３０のそれぞれ内部を挿通し、そのリール中基板２２に表示リール３０のそれぞれを内部から前側に向けて照明する発光体としての発光ダイオード２３が支持されている。
【００３２】
また、リール中基板２２には、表示リール３０の原点位置を検出する原点位置検出センサ２４が支持されている。原点位置検出センサ２４は、発光素子２４ａと受光素子２４ｂからなる。発光素子２４ａは、表示リール３０の端部に嵌合されたキャップ３２のフランジ３２ｂの外側方に配置され、受光素子２４ｂは上記フランジ３２ｂの内側方に配置されて、その発光素子２４ａと受光素子２４ｂ間にキャップ３２の遮光部３２ｃが通過可能な間隔が設けられ、上記遮光部３２ｃが発光素子２４ａの光路を遮断した際に、原点位置検出センサ２４は検出信号を図示省略した制御装置に出力するようになっている。
【００３３】
なお、発光素子２４ａおよび受光素子２４ｂの配置は上記の配置に限定されるものではなく、発光素子２４ａをフランジ３２ｂの内側方に配置し、受光素子２４ｂをフランジ３２ｂの外側方に配置してもよい。
【００３４】
ここで、発光素子２４ａの幅寸法は、端板１３ａ、１４ａの肉厚より大きく、一部が上記端板１３ａ、１４ａの外表面から外部に臨む配置とされている。このため、ケーシング１０を遊技盤に組付ける際に、発光素子２４ａが障害物に衝突して破損する危険がある。そのような不都合を解消するため、端板１３ａ、１４ａの外表面にリール中基板２２の端部並びに発光素子２４ａの端部を覆う保護突起２５を形成して、発光素子２４ａの保護を図るようにしている。
【００３５】
図２に示すように、ケーシング１０の背面側にはギヤケース５０がねじ止めされている。ギヤケース５０内には一対の表示リール３０をそれ単独に回転駆動する第１のギヤ駆動機構６０と、一対の遮蔽リール４０を同時に回転駆動する第２のギヤ駆動機構７０が組込まれている。
【００３６】
第１のギヤ駆動機構６０は一対の表示リール３０のそれぞれに対応して設けられ、その２つのギヤ駆動機構６０は同一の構成であるため、一方のギヤ駆動機構６０のみを以下に説明し、他方のギヤ駆動機構６０については、同一部品に同一の符号を付して説明を省略する。
【００３７】
第１のギヤ駆動機構６０は、表示リール３０の外歯３７に噛合する駆動ギヤ６１と、その駆動ギヤ６１を駆動するステッピングモータ６２とからなり、そのステッピングモータ６２により駆動ギヤ６１を回転し、その駆動ギヤ６１の回転を外歯３７に伝達して、表示リール３０を回転させるようにしている。
【００３８】
第２のギヤ駆動機構７０は、遮蔽リール４０に平行配置された回転可能なギヤ軸７１に、遮蔽リール４０のそれぞれのセクタギヤ４３と噛合する２枚の従動ギヤ７２、７２を固定し、上記一方の従動ギヤ７２をステッピングモータ７４の回転軸に固定された駆動ギヤ７５に噛合し、上記ステッピングモータ７４の駆動によりギヤ軸７１を回転し、その回転を従動ギヤ７２からセクタギヤ４３に伝達して遮蔽リール４０を回転させるようにしている。
【００３９】
ステッピングモータ７４は、遮蔽リール４０の蓋体部４２がケーシング１０の表示窓１２に臨む位置と開口部４１が上記表示窓１２に臨む位置との間で遮蔽リール４０を回転させるようになっており、蓋体部４２が表示窓１２に臨むと、表示リール３０の図柄３４が蓋体部４２で隠蔽され、一方、開口部４１が表示窓１２に臨むと、その開口部４１および表示窓１２から図柄３４を視認することができるようになっている。
【００４０】
実施の形態で示すリールユニット１は上記の構造からなり、その使用に際しては、例えば、遊技球が始動入賞口に入賞した際、あるいは、パチンコ機の上皿等に設けられた押釦スイッチが遊技者により押し込まれてオンにされた際等に、第２のギヤ駆動機構７０のステッピングモータ７４が始動されるようにする。
【００４１】
いま、ステッピングモータ７４が駆動されると、その回転は駆動ギヤ７５から従動ギヤ７２に伝達されるため、ギヤ軸７１が回転し、その回転は従動ギヤ７２からセクタギヤ４３に伝達され、遮蔽リール４０が回転して、図１（ｂ）および図５（ｄ）に示すように、開口部４１が表示窓１２に臨む状態となる。
【００４２】
また、ステッピングモータ７４の駆動と同時、または、駆動開始後において、第１のギヤ駆動機構６０におけるステッピングモータ６２が駆動する。そのステッピングモータ６２の駆動により、駆動ギヤ６１が回転され、その駆動ギヤ６１の回転は表示リール３０の外歯３７に伝達されるため、表示リール３０が回転する。
【００４３】
上記表示リール３０が回転し、キャップ３２の遮光部３２ｃが原点位置検出センサ２４の発光素子２４ａの光軸を遮断すると、原点位置検出センサ２４は図示省略した制御装置に検出信号を出力する。
【００４４】
制御装置は原点位置検出センサ２４から入力される検出信号によりステッピングモータ６２の回転角を制御する。そのステッピングモータ６２の回転角が設定された回転角になると、図１（ｂ）に示すように、表示リール３０の外周に設けられた複数の図柄３４の１つが表示窓１２と対向する位置で表示リール３０が停止される。
【００４５】
表示リール３０が停止すると、第２のギヤ駆動機構７０におけるステッピングモータ７４が上記と逆方向に回転し、遮蔽リール４０が逆方向に回転し、図１（ａ）および図５（ｃ）に示すように、蓋体部４２が表示窓１２に臨むと、ステッピングモータ７４が停止する。
【００４６】
上記のようなリールユニット１の動作時、表示リール３０は、図７に示すように、その両端部の下部外周面が小径ラジアル軸受面１５に支持される状態において回転するため、スムーズに回転する。また、表示リール３０の回転時、キャップ３２のフランジ３２ｂがスラスト軸受面１７に接触して回転する場合がある。このとき、キャップ３２は滑り抵抗の小さい合成樹脂によって形成されているため、回転抵抗は小さく、この場合も、表示リール３０はスムーズに回転することになる。
【００４７】
上記リールユニット１において、ケーシング１０内に対する表示リール３０および遮蔽リール４０の組付けに際しては、蓋体１４を取外した状態において、一対の表示リール３０の外側に遮蔽リール４０を嵌合し、かつ、表示リール３０の内側にリール中基板２２を挿通し、その一対の表示リール３０および遮蔽リール４０をケース本体１３の上側からリール収容空間１１内に落とし込むと共に、リール中基板２２を基板支持溝２１に差し込むようにする。
【００４８】
上記一対の表示リール３０の落とし込みにより、表示リール３０の両端部は一対の小径ラジアル軸受面１５によって回転自在に支持され、また、遮蔽リール４０の両端部は大径ラジアル軸受面１６によって回転自在に支持されることになる。その支持状態において、ケース本体１３の上側に蓋体１４を被せてねじ止めすると、その蓋体１４に設けられた保持部１９によって表示リールの浮き上がりが阻止されることになり、表示リール３０および遮蔽リール４０の組込みが完了する。
【００４９】
上記のように、遮蔽リール４０が嵌合された表示リール３０をリール収容空間１１内に落とし込みする作業と、蓋体１４をねじ止めする作業によってケーシング１０を組み立てることができるため、リールユニット１を極めて簡単に組立てることができる。
【００５０】
また、実施の形態では、表示リール３０の両端部をケース本体１３に形成された円筒状のラジアル軸受面１５で回転自在に支持しているため、表示リール３０の両端部外周をローラで回転自在に支持する場合に比較して、ケーシング１０の小型化を図ることができる。
【００５１】
実施の形態においては、ケーシング１０内に２つの表示リール３０を設けたものを示したが、表示リール３０の数はこれに限定されるものではない。例えば、３つ以上の表示リール３０を組込むようにしてもよい。
【００５２】
この場合、ケーシング１０の内部に支持板を設けてケーシング１０の内部に表示リール３０の数と同数のリール収容空間１１を左右方向に設け、ケース本体１３側に形成される各リール収容空間１１内に表示リール３０の両端部を回転自在に支持する半円筒状のラジアル軸受面１５および遮蔽リール４０の両端部を回転自在に支持する半円筒状のラジアル軸受面１６並びに各リール３０、４０の端面と対向するスラスト軸受面１７、１８を設けるようにする。
【符号の説明】
【００５３】
１０・・・ケーシング、１２・・・表示窓（図柄表示部）、１３・・・ケース本体、１３ａ・・・端板、１４・・・蓋体、１５・・・ラジアル軸受面、１７・・・スラスト軸受面、１９・・・保持部、２１・・・基板支持溝、２２・・・リール中基板、２３・・・発光ダイオード（発光体）、２４・・・原点位置検出センサ、２４ａ・・・発光素子、２４ｂ・・・受光素子、２５・・・保護突起、３０・・・表示リール、３１・・・リール本体、３２・・・キャップ、３２ａ・・・筒部、３２ｂ・・・フランジ、３２ｃ・・・遮光部、３５・・・小径筒部、３６・・・小径筒部、３７・・・外歯、６０・・・ギヤ駆動機構、６２・・・ステッピングモータ（モータ）
【図１】
2010178969.tif 000003
【図２】
2010178969.tif 000004
【図３】
2010178969.tif 000005
【図４】
2010178969.tif 000006
【図５】
2010178969.tif 000007
【図６】
2010178969.tif 000008
【図７】
2010178969.tif 000009
【図８】
2010178969.tif 000010